(57)【要約】【課題】フレームの厚肉化を防止することができるチェストを提供する。【解決手段】フレーム側レール６１に、タッピンねじ９１が挿通するレール側挿通穴９２を設け、横桟部４２の内側面５１にもタッピンねじ９１が挿通するフレーム側挿通穴９３を設ける。フレーム側挿通穴９３が設けられたネジ固定箇所の裏側にネジ受け部材１０１を設け、ネジ受け部材１０１を横桟部４２の内側面５１と外側面５２間に配設する。タッピンねじ９１を、フレーム側レール６１のレール側挿通穴９２を介して横桟部４２のレール側挿通穴９３へ挿入するとともに、ネジ受け部材１０１の螺入穴１１１に螺入することで、フレーム側レール６１を横桟部４２に固定する。【選択図】図６
2007229021.tif 000002
【特許請求の範囲】
【請求項１】
引出を支持するレールがネジによってフレームに固定されるチェストにおいて、
前記フレームのネジ固定箇所に前記ネジが螺入されるネジ受け部材を設けたことを特徴とするチェスト。
【請求項２】
前記フレームを金属製としたことを特徴とする請求項１記載のチェスト。
【請求項３】
前記フレームを断面コ字状に形成するとともに、該フレームの内側に前記ネジ受け部材を配置したことを特徴とする請求項１又は２記載のチェスト。
【発明の詳細な説明】
【技術分野】
【０００１】
本発明は、衣類や小物などを収容するチェストに関する。
【背景技術】
【０００２】
従来、衣類や小物などを収納する際には、チェストが用いられていた。
【０００３】
このチェストは、チェスト本体と、該チェスト本体に引き出し自在に収容される引出とによって構成されている。
【０００４】
前記引出には、引出側ローラーが設けられており、前記チェスト本体のフレームには、前記引出側ローラーが転動するレールがネジ止めされている。
【０００５】
これにより、前記引出の移動をスムーズに行えるように構成されている。
【発明の開示】
【発明が解決しようとする課題】
【０００６】
しかしながら、このようなチェストにおいては、前記レールをネジで固定する為には、十分な螺入量を必要とする。このため、前記ネジが螺入されるフレームを厚肉に形成しなければならなかった。
【０００７】
すると、メーカー側ではコスト高を招いてしまう。
【０００８】
また、前記フレームが厚肉となる分、重量が増すため、ユーザー側では、移動時の持ち運びに苦労を要する。
【０００９】
本発明は、このような従来の課題に鑑みてなされたものであり、フレームの厚肉化を防止することができるチェストを提供することを目的とするものである。
【課題を解決するための手段】
【００１０】
前記課題を解決するために本発明の請求項１のチェストにあっては、引出を支持するレールがネジによってフレームに固定されるチェストにおいて、前記フレームのネジ固定箇所に前記ネジが螺入されるネジ受け部材を設けた。
【００１１】
すなわち、レールを固定するネジは、前記フレームのネジ固定箇所に設けられたネジ受け部材に螺入される。
【００１２】
このため、前記ネジ受け部材を厚肉に形成することによって、前記フレームを厚肉に形成すること無く、前記ネジの螺入量が確保される。
【００１３】
また、請求項２のチェストにおいては、前記フレームを金属製とした。
【００１４】
すなわち、前記フレームは金属によって形成されており、当該フレームの薄肉化を可能とすることで、軽量化が図られる。
【００１５】
さらに、請求項３のチェストでは、前記フレームを断面コ字状に形成するとともに、該フレームの内側に前記ネジ受け部材を配置した。
【００１６】
すなわち、前記ネジ受け部材は、断面コ字状のフレームの内側に配置されている。
【００１７】
このため、平板状のフレームの一面に前記ネジ受け部材が設けられる場合と比較して、該ネジ受け部材の露出が防止される。
【発明の効果】
【００１８】
以上説明したように、本発明の請求項１のチェストにあっては、レール固定用のネジが螺入されるネジ受け部材を厚肉に形成することによって、前記フレームを厚肉に形成すること無く、前記ネジの螺入量を十分に確保することができる。
【００１９】
このため、前記ネジの螺入量を確保する為にフレームを厚肉に形成する場合と比較して、製造コストを抑えることができる。
【００２０】
また、前記フレームの薄肉化が可能となるため、軽量化を図ることができ、ユーザーにおいては、移動時の持ち運びが容易となる。
【００２１】
また、請求項２のチェストにおいては、前記フレームが金属で形成されてているため、当該フレームの薄肉化に伴う重量の低減効果を高めることができる。
【００２２】
さらに、請求項３のチェストでは、前記ネジ受け部材を断面コ字状のフレーム内に配置することができる。
【００２３】
このため、平板状のフレームの一面に前記ネジ受け部材を設ける場合と比較して、該ネジ受け部材の露出を防止することができる。これにより、外観品質を高めることができる。
【発明を実施するための最良の形態】
【００２４】
以下、本発明の一実施の形態を図に従って説明する。図１及び図２は、本実施の形態にかかるチェスト１を示す図であり、該チェスト１は、衣類や小物などを収納するものである。
【００２５】
このチェスト１は、金属製のフレーム１１で構成されたチェスト本体１２と、該チェスト本体１２に引出自在に収容される合成樹脂製の引出１３とによって構成されている。
【００２６】
この引出１３は、図３にも示すように、矩形容器状に形成されており、当該引出１３の左右の側面２１，２１の底部側には、内側に後退した凹部２２，２２が設けられている。この引出１３の底面２３には、断面Ｌ字状のレール取付片２４，２４が前記凹部２２，２２に沿って延設されており、当該レール取付片２４，２４と前記底面２３との間には、側方に開口した取付溝２５が形成されている（一方のみ図示）。
【００２７】
前記引出１３に形成された前記凹部２２には、図４にも示すように、引出側レール３１が設けられている。
【００２８】
該引出側レール３１は、図５に示すように、垂直に起立した垂直面３２と、該垂直面３２の下縁より内方へ向けて延出した固定面３３と、前記垂直面３２の上縁より側方へ向けて延出した支持面３４とによって形成されており、前記固定面３３が、図４に示したように、前記引出１３の前記取付溝２５に挿入された状態で固定されるように構成されている。前記垂直面３２の奥側の端部には、図５に示したように、引出側ローラー３５が回転自在に設けられており、該引出側ローラー３５は、前記支持面３４より上方に突出するように構成されている。
【００２９】
前記チェスト本体１２を形成する前記フレーム１１は、図１及び図２に示したように、四隅に立設された支柱部４１，・・・と、前後の支柱部４１，４１を連結する横桟部４２，４２とを備えている。前記フレーム１１の底部には、図外の底板が設けられており、前記フレーム１１の天部には、天板４３が設けられている。
【００３０】
前記横桟部４２は、図４に示したように、当該チェスト本体１２に前記引出１３を収容した状態で、該引出１３に延設された前記引出側レール３１が対向する部位に設けられている。この横桟部４２は、図６に示すように、金属製の板材が折曲されて形成されており、当該横桟部４２は、チェスト本体１２の内側を構成する内側面５１と、チェスト本体１２の側方を構成する外側面５２と、該外側面５２と前記内側面５１とを連設する連設面５３とによって下方へ向けて開口する断面コ字状に形成されている。
【００３１】
この横桟部４２には、図２及び図４に示したように、フレーム側レール６１が設けられており、該フレーム側レール６１によって前記引出１３に設けられた前記引出側レール３１の前記引出側ローラー３５を支持できるように構成されている。
【００３２】
このフレーム側レール６１は、図７に示すように、前記横桟部４２の前記内側面５１に固定される固定面７１と、該固定面７１の上縁部が側方へ向けて折曲されてなる上縁折曲部７２と、前記固定面７１の下縁部が側方へ向けて折曲されてなる下縁折曲部７３とによって内側へ向けて開口した断面コ字状に形成されており、前記上縁折曲部７２と前記下縁折曲部７３との間に前記引出側ローラー３５を転動自在に保持するように構成されている。
【００３３】
前記固定面７１の先端部には、幅広の幅広部８１が形成されており、該幅広部８１には、フレーム側ローラー８２が回転自在に設けられている。これにより、該フレーム側ローラー８２によって前記引出側レール３１の前記支持面３４を支持できるように構成されている。
【００３４】
このフレーム側レール６１には、図４及び図６に示したように、タッピンねじ９１が挿通されるレール側挿通穴９２が設けられており、このレール側挿通穴９２と合致する前記横桟部４２の前記内側面５１の部位にも、前記タッピンねじ９１が挿通されるフレーム側挿通穴９３が設けられている。
【００３５】
このフレーム側挿通穴９３が設けられたネジ固定箇所の裏側には、合成樹脂が直方体形状に形成されてなるスペーサーを兼ねたネジ受け部材１０１が設けられており、該ネジ受け部材１０１は、前記横桟部４２の前記内側面５１と前記外側面５２との間に配設されている。
【００３６】
このネジ受け部材１０１は、図４に示したように、矩形状の枠部１０５と、該枠部１０５の内側に設けられた十字状の十字リブ１０６と、該十字リブ１０６の中央に設けられた有底円筒状の筒部１０７と、前記枠部１０５内に設けられた中壁１０８とによって構成されている。
【００３７】
前記ネジ受け部材１０１の前記筒部には、螺入穴１１１が設けられており、前記タッピンねじ９１を螺入できるように構成されている。これにより、前記タッピンねじ９１を、前記フレーム側レール６１の前記レール側挿通穴９２を介して、前記横桟部４２の前記内側面５１に設けられた前記レール側挿通穴９３へ挿入するとともに、前記横桟部４２の内側に配置された前記ネジ受け部材１０１の螺入穴１１１に螺入することによって、前記フレーム側レール６１を前記横桟部４２に固定できるように構成されている。
【００３８】
以上の構成にかかる本実施の形態において、前記フレーム側レール６１を固定する前記タッピンねじ９１を、前記フレーム１１の前記横桟部４２におけるネジ固定箇所に設けられた前記ネジ受け部材１０１に螺入することができる。
【００３９】
このため、前記ネジ受け部材１０１を厚肉に形成することによって、前記フレーム１１を厚肉に形成すること無く、前記タッピンねじ９１の螺入量を十分に確保することができ、十分な固定力を得ることができる。
【００４０】
したがって、前記タッピンねじ９１の螺入量を確保する為に前記フレーム１１を構成する前記横桟部４２を厚肉に形成する場合と比較して、製造コストを抑えることができる。
【００４１】
また、前記フレーム１１における前記横桟部４２の薄肉化が可能となるため、軽量化を図ることができ、ユーザーにおいては、移動時の持ち運びが容易となる。
【００４２】
また、前記フレーム１１の前記横桟部４２は、金属板によって形成されている。このため、当該横桟部４２の薄肉化することによる重量軽減効果を高めることができる。
【００４３】
そして、前記タッピンねじ９１が螺入される前記ネジ受け部材１０１は、断面コ字状に形成された前記横桟部４２の内側に配置されている。
【００４４】
このため、平板状の横桟部４２の外側面に前記ネジ受け部材１０１を設ける場合と比較して、ネジ受け部材１０１の露出を防止することができる。これにより、チェスト本体１２の外観品質を高めることができる。
【００４５】
なお、本実施の形態では、フレーム１１を構成するコ字状の横桟部４２の内側にスペーサを兼ねたネジ受け部材１０１を配置し、フレーム側レール６１及び前記横桟部４２を挿通したタッピンねじを９１，９１を前記ネジ受け部材１０１に螺入して前記フレーム側レール６１を固定した場合を例に挙げて説明したが、これに限定されるものではない。
【００４６】
すなわち、前記横桟部４２は、前記フレーム１１を構成する部材に限らず、他の係止部材であっても良い。また、前記フレーム側レール６１は、レールに限らず、他の被係止部材であっても良い。
【００４７】
これにより、前記係止部材を薄肉化しつつ、前記係止部材の強度を保ち、かつ前記タッピンねじ９１，９１の螺入量を十分に確保することができる。
【図面の簡単な説明】
【００４８】
【図１】本発明の一実施の形態の正面を示す透明図である。
【図２】同実施の形態の側面図を示す透明図である。
【図３】同実施の形態の引出を示し示す一部断面図である。
【図４】同実施の形態の要部を示す断面図である。
【図５】同実施の形態の引出側レール示す説明図である。
【図６】同実施の形態のフレーム側レールの取付手順を示す説明図である。
【図７】同実施の形態のフレーム側レールを示す説明図である。
【符号の説明】
【００４９】
１    チェスト
１１    フレーム
１２    チェスト本体
１３    引出
３１    引出側レール
４２    横桟部
６１    フレーム側レール
８２    フレーム側ローラ
９１    タッピンねじ
１０１    ネジ受け部材
【図１】
2007229021.tif 000003
【図２】
2007229021.tif 000004
【図３】
2007229021.tif 000005
【図４】
2007229021.tif 000006
【図５】
2007229021.tif 000007
【図６】
2007229021.tif 000008
【図７】
2007229021.tif 000009